(57)【要約】【課題】陰極管の点灯及び消灯による温度差から生じる陰極管と基板、シャーシ等との間の伸縮差を容易に吸収でき、ソケットの加工バラツキ、取付バラツキも吸収できる陰極管用ソケットの提供を目的とする。【解決手段】陰極管端子部の側部を挟持保持するクリップ部と基板に電気接続する基板取付部とを備え、クリップ部と基板取付部とを弾性変形部で連結してあることを特徴とする。  ソケット構造をコンパクトにするために、クリップ部の裏面側に折り返して弾性変形部を形成し、弾性変形部の下側に廻り込むように折り返して基板取付部を形成してあるのがよい。【選択図】  図１
2009059476.tif 000002
【特許請求の範囲】
【請求項１】
陰極管端子部の側部を挟持保持するクリップ部と基板に電気接続する基板取付部とを備え、
クリップ部と基板取付部とを弾性変形部で連結してあることを特徴とする陰極管用ソケット。
【請求項２】
クリップ部は装着する陰極管端子部の下方に位置するクリップベース部とクリップベース部から立設した一対の挟持接触部を有し、
クリップベース部の陰極管長手方向の一端を当該クリップベース部の裏面側に折り返し延在させて弾性変形部の一端に連結してあり、当該弾性変形部の他端を折り返して基板取付部に連結してあることを特徴とする請求項１記載の陰極管用ソケット。
【請求項３】
クリップ部は陰極管の幅方向外側に突出した突出部を有し、基板取付部は当該突出部の移動範囲を規制する移動規制部を有していることを特徴とする請求項１又は２記載の陰極管用ソケット。
【請求項４】
少なくともクリップ部と弾性変形部と基板取付部とを金属板で一体的に製作したものであることを特徴とする請求項１〜３のいずれかに記載の陰極管用ソケット。
【請求項５】
弾性変形部は帯状の弾性片を交互に水平方向に折り返して外形が蛇腹状になるように形成してあることを特徴とする請求項１〜４のいずれかに記載の陰極管用ソケット。
【発明の詳細な説明】
【技術分野】
【０００１】
本発明は陰極管のソケットに関し、特に液晶表示装置のバックライト等に用いる冷陰極管のソケットに好適である。
【背景技術】
【０００２】
液晶テレビなどの液晶表示装置のバックライトに使用する冷陰極管（Ｃｏｌｄ  Ｃａｔｈｏｄｅ  Ｆｌｕｏｒｅｓｃｅｎｔ  Ｌａｍｐ：ＣＣＦＬ管）を、リジット基板上に取り付けるためのソケット構造としては、図４（ａ）に示すような構造が公知である。
ソケット１１０は冷陰極管１の両端部に設けてある端子部２を挟持するクリップ部１２０を有している。
また、ソケット１１０は基板３に取り付けてあるとともに、基板３は金属シャーシ４等に取り付けてある。
従って、管発光時の発熱によって冷陰極管１と金属シャーシ４や基板３との間に伸縮差が生じた場合に、ソケット１１０が基板に固定されているために冷陰極管端子部２とクリップ部との挟持接触面にズレが生じ、電気接続が不安定になる問題があった。
また、近年の液晶テレビの大型化に伴い、冷陰極管の長さが長くなり、ソケット１１０の加工上の僅かなバラツキや、ソケット１１０の基板３への取り付けの僅かな傾きによっても冷陰極管端子部２の挟持角度が傾いてしまい、図４（ｃ）に示すように冷陰極管１には弓反りになるようなテンションが加わってしまい、最悪の場合には冷陰極管１が折れてしまう恐れがあった。
特開平８−４５６２８号公報には、レーザ励起ランプホルダとして弾性変形する板バネ部を設けてあるが、同公報に開示する技術はホルダとランプ電極端子とを溶接した状態でホルダを端子台にボルト締めする際の接触不良を防止するものであり、本願におけるクリップ装着によるソケット構造に適用できるものではない。
【０００３】
【特許文献１】特開平８−４５６２８号公報
【発明の開示】
【発明が解決しようとする課題】
【０００４】
本発明は上記技術的課題に鑑みて、陰極管の点灯及び消灯による温度差から生じる陰極管と基板、シャーシ等との間の伸縮差を容易に吸収でき、ソケットの加工バラツキ、取付バラツキも吸収できる陰極管用ソケットの提供を目的とする。
【課題を解決するための手段】
【０００５】
本発明の技術的要旨は、陰極管端子部の側部を挟持保持するクリップ部と基板に電気接続する基板取付部とを備え、クリップ部と基板取付部とを弾性変形部で連結してあることを特徴とする。
この場合に、ソケット構造をコンパクトにするために、クリップ部の裏面側に折り返して弾性変形部を形成し、弾性変形部の下側に廻り込むように折り返して基板取付部を形成してあるのがよい。
【０００６】
ここで弾性変形部は、クリップ部と基板取付部との間に生じた変位負荷を吸収するように作用するものをいう。
これにより陰極管の発熱による熱膨張差により陰極管端子部が基板取付部に対して移動した時には、陰極管端子部の移動に伴ってクリップ部が移動し、クリップ部と陰極管端子部との間で摺動ズレが生じるのを防止する。
また、ソケットの加工上のバラツキや、ソケットの基板への取り付けのバラツキにより、クリップの挟持中心線と陰極管の長手方向中心線とにズレが生じた場合には、そのズレをこの弾性変形部が吸収し、陰極管に過度のねじれテンションが生じるのを防止する。
本発明に係るソケットはクリップ装着タイプであり、クリップ部と基板取付部との間に弾性変形部を設けたので長さが長い冷陰極管用のソケットに用いるのは好適であるが、熱陰極管などの蛍光管や他の電子管用に用いることも可能である。
【０００７】
請求項２記載に係るソケットは、構造をより具体化した例でクリップ部は装着する陰極管端子部の下方に位置するクリップベース部とクリップベース部から立設した一対の挟持接触部を有し、クリップベース部の陰極管長手方向の一端を当該クリップベース部の裏面側に折り返し延在させて弾性変形部の一端に連結してあり、当該弾性変形部の他端を折り返して基板取付部に連結してあることを特徴とする。
クリップ部と弾性変形部と基板取付部とは金属板から打ち抜いた板材をプレス等にて折り曲げ加工し、一体的に製作することも可能であり、よりコンパクトに製作できる。
【０００８】
クリップ部と弾性変形部と基板取付部とを折り重ねるように配設することで、クリップ部をバランス良く安定的に支持しやすくなる。
弾性変形部の構成例において、弾性変形部は帯状の弾性片を交互に水平方向に折り返して外形が蛇腹状になるように形成してもよい。
【０００９】
請求項３記載のソケットは、クリップ部は陰極管の幅方向外側に突出した突出部を有し、基板取付部は当該突出部の移動範囲を規制する移動規制部を有していることを特徴とする。
【００１０】
これにより、クリップ部の基板取付部に対する移動範囲は突出部が移動規制部に当たることで過度にクリップ部が移動、傾斜するのを防止する。
【発明の効果】
【００１１】
本発明に係る陰極管用のソケットにおいては、クリップ部と基板取付部との間を弾性変形部でつないだので、陰極管端子部を挟持するクリップ部が陰極管幅方向と長さ方向、及び長さ方向に対して傾斜するズレを吸収できる。
これにより、陰極管の発熱に伴うクリップ部と陰極管端子部との間の摺動ズレを防止し、接触状態、通電状態を安定化させることができる。
また、ソケットの加工上のバラツキや、ソケットの基板への取り付けの傾きにより陰極管の配設方向とクリップ部の挟持角度に差が生じる場合には、そのズレを弾性変形部が吸収し、クリップ部から陰極管に加わるテンションを軽減し、陰極管の破損を防止できる。
【００１２】
クリップ部と弾性変形部と基板取付部は、弾性変形部のクリップ部及び基板取付部との連結部を折り返して、上下方向に重ねるように配設すると、弾性変形部に局部的に負荷をかけずにクリップ部をバランス良く支持できる。
特に弾性変形部を帯状の弾性片を水平方向に交互に折り返して外形蛇腹状に形成すると、変位吸収量が大きく、耐久性にも優れ、折り返し数の調整により変位量の調整がしやすい。
【００１３】
クリップ部の基板取付部に対する移動範囲を、突出部と移動規制部の干渉構造で制限すると、例えば自動機でソケットを基板などに取り付ける時のハンドリングや、自動機による陰極管端子部のソケットへの押し込み挿入が行いやすく、陰極管を挟持したクリップ部が、何らかの原因で所定範囲を越えて移動し、脱落するのを防止できる。
【発明を実施するための最良の形態】
【００１４】
本発明に係る陰極管用のソケットの実施例について、冷陰極管用を対象にした場合を図面を用いて説明する。
図１はソケット１０の説明図で、（ａ）は斜視図を示し、（ｂ）は正面図を示し、（ｃ）はＡ−Ａ線断面図を示し、（ｄ）はＢ−Ｂ線断面図を示す。
ソケット１０は、冷陰極管端子部を挟持接続するクリップ部２０と、基板回路端子に接続部４２を接続して基板に取り付ける基板取付部４０と、クリップ部２０と基板取付部４０とを連結してある弾性変形部３０とを有している。
このクリップ部２０と基板取付部４０と弾性変形部３０は、打ち抜きにより形成した弾性金属製板材を曲げ加工して一体に形成してある。
弾性変形部は、クリップ部２０と基板取付部４０との間に生じたズレ負荷を吸収すのが目的であり、波板状に折り曲げてもよいが本実施例においては、水平方向に交互に折り返して外形が蛇腹状に見えるように形成した例を示す。
【００１５】
クリップ部２０は、陰極管端子部の下方に位置するクリップベース部２２の幅方向両端から、断面略Ｕ形となるようにクリップバネ部２４を一対上向きに立設してあり、クリップベース部２２は弾性変形部３０に連結してある。
そして、それぞれのクリップバネ部２４上端から、冷陰極管の端子部を挟持するためのアーチ形の挟持接触部２１を、冷陰極管長手方向に並べて２枚づつ上向きに延在して設けてある。
挟持接触部２１は、冷陰極管の端子部を挟持して電気接続するためにアーチ形の凹み面２１ａを内側に対向させるように形成して、凹み面２１ａには接点突起２１ｂを設けてある。
挟持接触部２１の上には挟持接触部２１の上端を、挟持する冷陰極管の幅方向外側の上向きに延在させることで形成したガイド部２５を設けてある。
冷陰極管端子部は、上方からガイド部２５に押し付けることでガイド部２５同士の間を開いて挿入し、凹み面２１ａ同士の間に弾性挟持してソケット１０と電気接続する。
凹み面２１ａ同士の間に弾性挟持した冷陰極管端子部はガイド部２５同士の間を拡げることで上方に抜き出すことができる。
【００１６】
図２（ａ）にソケット１０の平面図を示し、（ｂ）に底面図を示し、（ｃ）に左側面図を示し、（ｄ）に右側面図を示す。
弾性変形部３０は、ソケット１０を形成する弾性金属製板材の幅方向に蛇行するように打ち抜き形成して、冷陰極管幅方向に蛇行しながら冷陰極管長手方向に延在する外形蛇腹形としてある。
クリップ部２０と弾性変形部３０と基板取付部４０は、弾性変形部３０の冷陰極管長手方向の一端を第１折返し連結部３１を介してクリップ部２０のクリップベース部２２に連結して、他端を第２折返し連結部３２を介して基板取付部４０の取付けベース４１に連結して、上下方向に重なるように配設してある。
クリップ部２０は、弾性変形部３０の蛇腹形状を冷陰極管長さ方向や、幅方向、あるいは冷陰極管長さ方向に対する傾斜方向に弾性変形することで、基板取付部４０に対する位置を相対的に移動し、傾斜することができる。
クリップ部２０と弾性変形部３０と基板取付部４０は、上下に重ねるように配設することで、クリップ部２０を弾性変形部３０で支持しやすくして、弾性変形部３０に局部的に負荷が加わらないようにしてある。
弾性変形部３０は、クリップ部に軽く力が加わるだけで全体的に弾性変形しやすく、また、へたりにくいように蛇行数を多くしてある。
クリップ部２０のクリップベース部２２の両側には、切り起こしにより突片状の突出部２３が外向きに突出して設けてあり、また、基板取付部４０の両側には、方形枠状の移動規制部４３が設けてあり、突出部２３は移動規制部４３内に位置している。
移動規制部４３は、基板取付部４０の板状の取付けベース４１の両側に打ち抜きで形成した略十字形の突片と切り起こしで形成した突片とを曲げ加工して、前規制部４３ａ、後ろ規制部４３ｂ、横規制部４３ｃ、上規制部４３ｄ、下規制部４３ｅを形成して、突出部２３の先端部を囲んである。
移動規制部４３は、突出部２３の先端部を枠状に囲むことで、クリップ部２０の基板取付部４０に対する相対移動範囲や相対傾斜角度を所定範囲内に制限してある。
これにより、例えばソケット組付の際のハンドリング時や冷陰極管のソケットへの挿入装着時に、弾性変形部３０が必要以上に変形して不良となったり、あるいは冷陰極管端子部を挟持したクリップ部２０が重力などで例えば必要以上に下向きに傾斜することを、突出部２３を移動規制部４３で受けて防止する。
【００１７】
冷陰極管１の端子部２をクリップ部２０に挟持した状態を平面視した説明図を図３（ａ）に示す。
ソケット１０は、基板取付部４０の取付けベース４１の四隅に設けてある接続部４２を基板３の回路端子（図示省略）に半田付けするなどして基板３の回路と接続して基板３上にマウントしてある。
冷陰極管１の外端部に口金状に設けてある端子部２はクリップ部２０に弾性挟持してある。
冷陰極管１が発光、発熱して、冷陰極管１のガラス管部分と基板取付部４０を取り付けてある基板３やシャシーなどとの間に熱膨張による相対的な伸縮差が生じると、端子部２は例えば図３（ｂ）の矢印に示すように基板取付部４０に対して冷陰極管長手方向に移動する。
端子部２を弾性挟持しているクリップ部２０は、弾性変形部３０が弾性変形し、端子部２の移動に合わせて移動するため、クリップ部２０と冷陰極管端子部２との間で摺動ズレが生じることを防止する。
【００１８】
図３（ｃ）は、ソケット１０の曲げ加工上のバラツキや、ソケット１０の基板３への取り付けガタなどによる傾きによって、ソケット１０の冷陰極管端子部２の挟持角度が傾いてしまった状態を示す。
冷陰極管端子部２の挟持角度が傾いてしまうことによって、冷陰極管１は幅方向に撓んで傾こうとするが、この反作用によりクリップ部２０が冷陰極管１が真っ直ぐになるように傾斜する。
これにより、ソケット１０が冷陰極管１を撓ませようとするテンションを吸収し、冷陰極管１の破損を防止する。
【図面の簡単な説明】
【００１９】
【図１】本発明に係る陰極管用のソケットの説明図で、（ａ）は斜視図を示し、（ｂ）は正面図を示し、（ｃ）はＡ−Ａ線断面図を示し、（ｄ）はＢ−Ｂ線断面図を示す。
【図２】ソケットの説明図で、（ａ）は平面図を示し、（ｂ）は底面図を示し、（ｃ）は左側面図を示し、（ｄ）は右側面図を示す。
【図３】冷陰極管端子部をクリップ部に挟持した状態を平面視した説明図を示す。
【図４】従来の冷陰極管用のソケットを示す。
【符号の説明】
【００２０】
１      冷陰極管
２      冷陰極管端子部
３      基板
１０    ソケット
２０    クリップ部
２１    挟持接触部
２１ａ  凹み面
２１ｂ  接点突起
２２    クリップベース部
２３    突出部
２４    クリップバネ部
２５    ガイド部
３０    弾性変形部
３１    第１折返し連結部
３２    第２折返し連結部
４０    基板取付部
４１    取付ベース
４２    接続部
４３    移動規制部
４３ａ  前規制部
４３ｂ  後ろ規制部
４３ｃ  横規制部
４３ｄ  上規制部
４３ｅ  下規制部
【図１】
2009059476.tif 000003
【図２】
2009059476.tif 000004
【図３】
2009059476.tif 000005
【図４】
2009059476.tif 000006